(57)【要約】【課題】リピート区間を繰り返し再生するリピート再生の利用価値を高める。【解決手段】コンテンツを再生する再生処理部と、再生処理部におけるリピート再生を制御するリピート制御部とを備え、リピート制御部は、リピート回数に応じて再生処理部における再生速度を変化させる再生装置。リピート制御部は、リピート回数にしたがって、前記再生速度を、速くしていく、あるいは、遅くしていくよう制御することができる。リピート再生は、コンテンツの所定の区間を再生する区間リピートとすることができる。【選択図】図１
2012155822.tif 000002
【特許請求の範囲】
【請求項１】
コンテンツを再生する再生処理部と、
前記再生処理部におけるリピート再生を制御するリピート制御部とを備え、
前記リピート制御部は、リピート回数に応じて前記再生処理部における再生速度を変化させることを特徴とする再生装置。
【請求項２】
前記リピート制御部は、リピート回数にしたがって、前記再生速度を、速くしていく、あるいは、遅くしていくよう制御することを特徴とする請求項１に記載の再生装置。
【請求項３】
前記リピート制御部は、再生速度変化規則にしたがって前記再生速度を変化させ、
前記再生速度変化規則には、再生速度の変化の割合を設定することができることを特徴とする請求項１または２に記載の再生装置。
【請求項４】
前記リピート制御部は、再生速度変化規則にしたがって前記再生速度を変化させ、
前記再生速度変化規則には、１回目のリピート再生における再生速度を設定することができることを特徴とする請求項１または２に記載の再生装置。
【請求項５】
前記再生処理部が再生するコンテンツに基づく音声に、入力された音声を重ねて録音する重ね録音実行部をさらに備え、
前記重ね録音実行部は、リピート再生中に重ね録音を実行する場合には、リピート毎に重ね録音結果である新たなファイルを生成することを特徴とする請求項１〜４のいずれか１項に記載の再生装置。
【請求項６】
前記再生処理部が再生するコンテンツに基づく音声に、入力された音声を重ねて録音する重ね録音実行部をさらに備え、
前記重ね録音実行部は、リピート再生中に重ね録音を実行する場合には、前記重ね録音によって生成する新たなファイルのファイル名またはメタデータに前記再生速度に関する情報を付加することを特徴とする請求項１〜４のいずれか１項に記載の再生装置。
【請求項７】
前記リピート再生は、前記コンテンツの所定の区間を再生する区間リピートであることを特徴とする請求項１〜６記載の再生装置。
【請求項８】
コンテンツを再生する再生処理部を有する再生装置における再生方法において、
前記再生処理部におけるリピート再生を制御するリピート制御ステップを有し、
前記リピート制御ステップにおいて、リピート回数に応じて前記再生処理部における再生速度を変化させることを特徴とするコンテンツ再生方法。
【請求項９】
コンテンツを再生する再生処理部、
前記再生処理部におけるリピート再生を制御するリピート制御部、
として情報処理装置を機能させるコンピュータプログラムであって、
前記リピート制御部は、リピート回数に応じて前記再生処理部における再生速度を変化させることを特徴とするコンピュータプログラム。
【発明の詳細な説明】
【技術分野】
【０００１】
本発明は、再生装置に係り、特に、設定された始点と終点との間を繰り返して再生するリピート再生機能を備えた再生装置に関する。
【背景技術】
【０００２】
音声データや動画データの再生を行なう再生装置では、再生途中の２点間を繰り返し再生するリピート再生機能を備えているものがある。リピート再生では、ユーザから始点と終点との設定を受け付けることでリピート区間が定められ、リピート区間が繰り返し再生される。リピート再生は、語学の学習時に重要なフレーズを聞き取れるまで何度も聞き直したり、繰り返し音読する場合や、伴奏や手本に合わせて楽器の練習をする場合等に特に効果的である。
【先行技術文献】
【特許文献】
【０００３】
【特許文献１】特開平４−２７１０６０号公報
【発明の概要】
【発明が解決しようとする課題】
【０００４】
語学の学習や楽器の練習にリピート再生を利用する場合、習熟度に合わせて速度を変化させて再生したい場合がある。例えば、聞き取りにくいフレーズを聞き取れるまで段々遅くしたり、始めは遅いテンポで練習をし、慣れるにしたがって段々速く演奏したい場合等である。
【０００５】
従来から再生速度を変化させることができる再生装置が実用化されているが、習熟度に応じて再生速度を変化させるためには、ユーザがその都度再生速度の設定を行なわなければならず、語学の学習や楽器の練習を繰り返し行なう用途には必ずしも使い勝手がよいものではない。このため、語学の学習や楽器の練習において、習熟度に応じたリピート再生を簡易に行なうことができれば、リピート再生の利用価値が一層高まることができる。
【０００６】
そこで、本発明は、リピート区間を繰り返し再生するリピート再生の利用価値を高めることを目的とする。
【課題を解決するための手段】
【０００７】
上記課題を解決するため、本発明の第１の態様である再生装置は、コンテンツを再生する再生処理部と、前記再生処理部におけるリピート再生を制御するリピート制御部とを備え、前記リピート制御部は、リピート回数に応じて前記再生処理部における再生速度を変化させることを特徴とする。
【０００８】
ここで、前記リピート制御部は、リピート回数にしたがって、前記再生速度を、速くしていく、あるいは、遅くしていくよう制御することができる。
【０００９】
また、前記リピート制御部は、再生速度変化規則にしたがって前記再生速度を変化させ、前記再生速度変化規則には、再生速度の変化の割合を設定するようにしてもよい。
【００１０】
また、前記リピート制御部は、再生速度変化規則にしたがって前記再生速度を変化させ、前記再生速度変化規則には、１回目のリピート再生における再生速度を設定することができる。
【００１１】
また、前記再生処理部が再生するコンテンツに基づく音声に、入力された音声を重ねて録音する重ね録音実行部をさらに備え、前記重ね録音実行部は、リピート再生中に重ね録音を実行する場合には、リピート毎に重ね録音結果である新たなファイルを生成するようにしてもよい。
【００１２】
あるいは、前記再生処理部が再生するコンテンツに基づく音声に、入力された音声を重ねて録音する重ね録音実行部をさらに備え、前記重ね録音実行部は、リピート再生中に重ね録音を実行する場合には、前記重ね録音によって生成する新たなファイルのファイル名またはメタデータに前記再生速度に関する情報を付加するようにしてもよい。
【００１３】
ここで、前記リピート再生は、前記コンテンツの所定の区間を再生する区間リピートとすることができる。
【００１４】
上記課題を解決するため、本発明の第２の態様である再生方法は、コンテンツを再生する再生処理部を有する再生装置における再生方法において、前記再生処理部におけるリピート再生を制御するリピート制御ステップを有し、前記リピート制御ステップにおいて、リピート回数に応じて前記再生処理部における再生速度を変化させることを特徴とする。
【００１５】
上記課題を解決するため、本発明の第３の態様であるコンピュータプログラムは、コンテンツを再生する再生処理部、前記再生処理部におけるリピート再生を制御するリピート制御部、として情報処理装置を機能させるコンピュータプログラムであって、前記リピート制御部は、リピート回数に応じて前記再生処理部における再生速度を変化させることを特徴とする。
【発明の効果】
【００１６】
本発明によれば、リピート区間を繰り返し再生するリピート再生の利用価値を高めることができる。
【図面の簡単な説明】
【００１７】
【図１】本実施形態に係る再生装置の機能構成を示すブロック図である。
【図２】操作受付部および表示部の外観例を示す図である。
【図３】本実施形態の再生装置の音声ファイル再生処理について説明するフローチャートである。
【図４】リピート再生の再生速度の設定内容について説明する図である。
【図５】リピート再生モードにおける再生装置の動作について説明するフローチャートである。
【図６】リピート再生中に表示部に表示される情報の例を示す図である。
【図７】リピート回数と再生速度の変化の例を示した図である。
【図８】本実施形態の再生装置の音声ファイル再生処理の別例について説明するフローチャートである。
【図９】リピート再生を重ね録音に適用した場合を説明する図である。
【発明を実施するための形態】
【００１８】
本発明の実施の形態について図面を参照して詳細に説明する。図１は、本実施形態に係る再生装置の機能構成を示すブロック図である。本実施形態における再生装置１００は、音源部２００に格納された音声データを再生する再生装置である。また、本実施形態の再生装置１００は、録音機能も備えており、音声の録音を行なって音声データを音源部２００に格納することができるものとする。音源部２００は、光ディスク、半導体メモリ等の可搬型の記録媒体とすることもできるし、再生装置１００が内蔵する記憶装置とすることもできる。音源部２００に格納される音声データは、商用の音声データであってもよいし、ユーザが録音したり、ダウンロードした音声データ等であってもよい。
【００１９】
なお、再生装置１００が再生・記録するコンテンツは音声データに限られず、例えば、動画データであってもよい。また、再生装置１００は、音響装置等の専用装置として構成してもよいし、パーソナルコンピュータ等の汎用的な情報処理装置において音声データ再生プログラムを実行することにより構成するようにしてもよい。
【００２０】
本図に示すように、再生装置１００は、読取部１１０、再生制御部１２０、操作受付部１３０、表示部１４０、音声出力部１５０、音声入力部１６０、録音制御部１７０を備えている。
【００２１】
読取部１１０は、音源部２００から音声データを読み出して再生制御部１２０に出力する。操作受付部１３０は、操作キー、タッチパネル等によりユーザから各種操作を受け付ける。表示部１４０は、液晶表示装置等の表示装置を備えており、メニュー、再生情報等の表示を行なう。
【００２２】
再生制御部１２０は、読取部１１０が読み取った音声データの再生制御を行なう。再生制御部１２０は、音声データの再生処理を行なう再生処理部１２１と、リピート再生の制御を行なうリピート制御部１２２とを備えている。
【００２３】
再生処理部１２１は、Ｄ／Ａ変換等を行なって、音声データをアナログ音声信号に変換する。再生処理部１２１は、設定にしたがって再生速度を変化させる再生速度変更機能を有している。リピート制御部１２２は、操作受付部１３０を介して受け付けたユーザの操作に基づいてリピート区間の設定を行ない、再生速度を設定して再生処理部１２１にリピート再生を行なわせる。この際に、リピート再生における再生速度の設定も行なう。なお、再生制御部１２０は、ハードウエアで実現するようにしてもよいし、ソフトウエアで実現するようにしてもよい。
【００２４】
音声出力部１５０は、再生制御部１２０が変換したアナログ音声信号を増幅し、音声として出力する。音声は、スピーカやヘッドフォンにより出力することができる。音声入力部１６０は、内蔵マイクあるいは外部マイク等から音声信号を入力する。
【００２５】
録音制御部１７０は、音声入力部１６０が入力したアナログ音声信号にディジタル変換等を施し、音声データとして音源部２００に記録する。また、録音制御部１７０は、重ね録音実行部１７１を備えている。重ね録音実行部１７１は、音源部２００に格納されている音声データに音声入力部１６０から入力した音声データを重ねて、すなわちミックスして録音する重ね録音を実行する。
【００２６】
図２は、操作受付部１３０および表示部１４０の外観例を示す図である。本例において、操作受付部１３０は、録音操作を受け付ける録音キー１３１、再生操作を受け付ける再生キー１３２、停止操作を受け付ける停止キー１３３、逆方スキップ操作を受け付ける逆方スキップキー１３４、前方スキップ操作を受け付ける前方スキップキー１３５、リピート再生操作を受け付ける区間リピートキー１３６、重ね録音操作を受け付ける重ね録音キー１３７、メニューを呼び出すメニューキー１３８、メニュー操作を受け付けるカーソルキー１３９を備えている。
【００２７】
ユーザは、リピート再生を行ないたい場合には、区間リピートキー１３６を操作することで、リピート区間の設定を行なうことができる。具体的には、再生中に区間リピートキー１３６を操作すると、その時点における再生位置が始点として設定される。もう一度、区間リピートキー１３６を操作すると、その時点における再生位置が終点として設定され、始点と終点との間でリピート再生が開始される。この状態をリピート再生モードと称するものとする。
【００２８】
リピート再生モード中に、さらにもう一度、区間リピートキー１３６を操作すると、リピート再生モードが解除され、通常再生に戻る。また、始点・終点もクリアされる。すなわち、通常再生中の１回目の区間リピートキー１３６操作により始点が設定され、２回目の区間リピートキー１３６操作により終点が設定されてリピート再生モードに移行し、３回目の区間リピートキー１３６操作によりリピート再生モードが解除されて通常再生に戻ることになる。
【００２９】
図２に示すように、表示部１４０には、再生中のフォルダ名や音声ファイル名を表示する領域や、再生時間、再生位置を示す領域、リピート再生等の再生状態を示す領域等が設けられている。本図例では、「ＦｏｌｄｅｒＡ」の「Ｒｅｈｅａｒｓａｌ２０１０１２０７」という音声ファイルが再生対象となっており、１２分３４秒の位置が再生中であることが示されている。
【００３０】
次に、本実施形態の再生装置１００の音声ファイル再生処理について図３のフローチャートを参照して説明する。
【００３１】
再生装置１００は、ユーザから再生指示を受け付けると（Ｓ１１）、再生対象として指定された音声ファイルの通常再生を開始する（Ｓ１２）。ここで、通常再生は、音声ファイルの先頭から最後までを通して再生する処理である。
【００３２】
通常再生中に、ユーザから、区間リピートキー１３６の操作によって始点の指示を受け付けると（Ｓ１３：Ｙｅｓ））、リピート制御部１２２が、受け付けた時点の再生位置を始点として設定する（Ｓ１４）。次に、ユーザによる区間リピートキー１３６の操作によって終点の指示を受け付けると（Ｓ１５）、リピート制御部１２２が、受け付けた時点の再生位置を終点として設定する（Ｓ１６）。そしてリピート再生モードに移行する（Ｓ１７）。
【００３３】
リピート再生モードから復帰した場合、あるいは、始点の指示を受け付けていない場合（Ｓ１３：Ｎｏ）には、再生が終了するまで通常再生（Ｓ１２）を継続する（Ｓ１８）。ここで、再生の終了は、ユーザから停止キー１３３の操作を受け付けた場合、音声ファイルを最後まで再生した場合等である。
【００３４】
次に、リピート再生モード（Ｓ１７）における再生装置１００の動作について説明する。本実施形態では、ユーザは、リピート再生実行に先立ち、メニューキー１３８、カーソルキー１３９の所定の操作で、メニューを呼び出して、リピート再生の再生速度について設定を行なうことができる。
【００３５】
図４は、リピート再生の再生速度の設定について説明する図である。リピート再生の再生速度の設定では、図４（ａ）に示すように、「速度一定」「速くしていく」「遅くしていく」のいずれかを選択することができる。ここで、「速度一定」は、従来のリピート再生と同様に、リピート再生中、リピートしても再生速度が変化しないモードである。「速くしていく」は、リピート再生中、リピートする度に再生速度が速くなっていくモードである。「遅くしていく」は、リピート再生中、リピートする度に再生速度が遅くなっていくモードである。なお、リピート制御部１２２が、いずれかのモードに自動的に設定するようにしてもよい。
【００３６】
「速くしていく」あるいは「遅くしていく」を選択した場合には、速度変化割合を設定することができる。速度変化割合は、リピート毎に変化する速度の割合であり、例えば、「速くしていく」を選択した場合には、図４（ｂ）に示すように、「＋２％」「＋５％」等を指定することができる。ここで、「＋５％」を指定した場合には、リピート毎に５％ずつ再生速度が速くなっていくことになる。また、「遅くしていく」を選択した場合には、「−２％」「−５％」等のマイナスの値を指定することができる。例えば「−５％」を指定した場合には、リピート毎に５％ずつ再生速度が遅くなっていくことになる。
【００３７】
さらに、ユーザは、開始速度を指定することができる。開始速度は、リピート再生の１回目のリピートの際の再生速度であり、例えば、図４（ｃ）に示すように、「９０％」「９５％」「１００％」「１０５％」等を指定することができる。ここで、開始速度を９０％とし、変化割合を「＋１０％」と指定した場合には、１回目のリピートでは、通常の９０％の再生速度で再生され、２回目のリピートでは、９０％に対する１０％増しの再生速度で再生され、３回目のリピートでは、さらにその１０％増しの再生速度で再生されることになる。
【００３８】
なお、速度変化割合や開始速度は、固定値としてもよいし、他の指定方法を用いるようにしてもよい。また、リピート回数や、再生速度の上限・下限等を指定できるようにしてもよい。
【００３９】
図５は、リピート再生モード（Ｓ１７）における再生装置１００の動作について説明するフローチャートである。リピート再生モードでは、まず、ユーザからの指定等に基づいて開始速度を設定する（Ｓ１７１）。そして、設定された開始速度で、リピート区間の再生を行なう（Ｓ１７２）。
【００４０】
再生位置が終点に到達すると（Ｓ１７３：Ｙｅｓ）、速度変化割合にしたがって、次の再生速度を設定し（Ｓ１７４）、始点に戻る（Ｓ１７５）。そして、新たに設定された再生速度でリピート区間の再生を行なう（Ｓ１７２）。なお、再生装置１００の仕様やユーザの設定により、再生速度の上限値や下限値が定められている場合には、それらの値を限度として再生速度を設定するものとする。
【００４１】
以上の処理を、再生を終了するか（Ｓ１７６：Ｙｅｓ）、リピート再生モードが解除されるまで（Ｓ１７７：Ｙｅｓ）、繰り返す。ここで、再生の終了は、ユーザから停止キー１３３の操作を受け付けた場合等であり、リピート再生モードの解除は、区間リピートキー１３６の操作を受け付けた場合、指定回数のリピートを行なった場合等である。
【００４２】
図６は、リピート再生中に表示部１４０に表示される情報の例を示す図である。本図の例では、「Ａ→Ｂ」という表示でリピート再生中であることが示され、現在の再生速度と、リピート回数とが示されている。これにより、ユーザは、リピート再生の状態をリアルタイムで認識することができる。
【００４３】
また、図７は、リピート回数と再生速度の変化の例を示した図であり、図７（ａ）は、「速くしていく」が指定され、変化割合が「＋５％」、開始速度が「８２％」が設定された場合を示している。この場合、リピート回数にしたがって、再生速度は「８２％」「８６％」「９０％」「９５％」「１００％」というように段々速くなるように変化していく。また、図７（ｂ）は、「遅くしていく」が指定され、変化割合が「−１０％」、開始速度が「１００％」が設定された場合を示している。この場合、リピート回数にしたがって、再生速度は「１００％」「９０％」「８１％」「７３％」「６６％」というように段々遅くなるように変化していく。なお、再生を１回行なうごとに再生速度を変えなくてもよく、再生を複数回行なってから再生速度を変えるようにしてもよい。
【００４４】
また、再生速度の変化は、直前の再生速度ではなく、元の再生速度に対するものとしてもよい。この場合、図７（ｂ）の例では、「１００％」「９０％」「８０％」「７０％」「６０％」というように変化していく。
【００４５】
このように、本実施形態の再生装置１００は、リピート回数毎に再生速度を変化させるため、語学の学習や楽器の練習において、習熟度に応じたリピート再生を簡易に行なうことができるようになり、効率的な学習や練習効果が得られることになる。これにより、リピート再生の利用価値を一層高めることができる。
【００４６】
なお、上述の例では、ユーザが再生中に区間リピートキー１３６を２回操作することにより始点と終点とを設定していた。これに対し、あらかじめメニュー操作等によって、リピート時間を設定しておき、区間リピートキー１３６の１回の操作で終点を指定するだけでリピート再生を行なえるようにしてもよい。図８は、この場合の再生装置１００の動作を説明するフローチャートである。図３と同じ処理については同じ符号を付している。
【００４７】
ここでは、例えば、リピート時間として１０秒が設定されているものとする。再生装置１００は、ユーザから再生指示を受け付けると（Ｓ１１）、再生対象として指定された音声ファイルの通常再生を開始する（Ｓ１２）。ユーザは、フレーズ聞き取れなかった等の理由で遡って繰り返し聞きたい場合に区間リピートキー１３６を１回操作する。この操作は、終点の指示を意味する。
【００４８】
通常再生中に、ユーザから、区間リピートキー１３６の操作によって終点の指示を受け付けると（Ｓ２１：Ｙｅｓ））、リピート制御部１２２が、受け付けた時点の再生位置を終点として設定し、さらに、リピート時間分遡った再生位置を始点として設定する（Ｓ２２）。そして、リピート再生モードに移行する（Ｓ１７）。リピート再生モード（Ｓ１７）における動作は、図５を参照して説明した上述の動作と同じである。リピート再生モードから復帰した場合、あるいは、終点の指示を受け付けていない場合（Ｓ２１：Ｎｏ）には、再生が終了するまで通常再生（Ｓ１２）を継続する（Ｓ１８）。
【００４９】
また、再生速度を変更するリピート再生は、再生音声に入力音声を重ねて録音する重ね録音に適用することもできる。すなわち、ユーザは、リピート区間において重ね録音を実行することにより、同じ再生区間について速度を変化させた重ね録音結果を得ることができる。
【００５０】
例えば、「速くしていく」を指定したリピート再生に重ね録音を適用すると、図９に示すように、リピート１回目には、速度１で再生される再生ファイルに新規音声を重ねた新規ファイル１が音源部２００に記録され、リピート２回目には、速度１よりも速い速度２で再生される再生ファイルに新規音声を重ねた新規ファイル２が音源部２００に記録され、リピート３回目には、速度２よりも速い速度３で再生される再生ファイルに新規音声を重ねた新規ファイル３が音源部２００に記録されることになる。このとき、それぞれの新規ファイルのファイル名やメタデータには、元の速度に対する速度比等の再生速度を示す情報を付加することが望ましい。また、本実施形態においては、コンテンツの所定の区間をリピート再生する区間リピートを例に説明したが、この区間はコンテンツの全区間であってもよい。つまり、区間リピートに限らず、１曲リピートにも適用可能である。
【００５１】
リピート再生に重ね録音を適用して記録されたそれぞれの新規ファイルを検証することにより、ユーザは、自身の習熟度や演奏に適した速度を知ることができるため、リピート再生の利用価値を一層高めることができる。
【符号の説明】
【００５２】
１００…再生装置
１１０…読取部
１２０…再生制御部
１２１…再生処理部
１２２…リピート制御部
１３０…操作受付部
１３１…録音キー
１３２…再生キー
１３３…停止キー
１３４…逆方スキップキー
１３５…前方スキップキー
１３６…区間リピートキー
１３７…重ね録音キー
１３８…メニューキー
１３９…カーソルキー
１４０…表示部
１５０…音声出力部
１６０…音声入力部
１７０…録音制御部
１７１…重ね録音実行部
２００…音源部
【図１】
2012155822.tif 000003
【図２】
2012155822.tif 000004
【図３】
2012155822.tif 000005
【図４】
2012155822.tif 000006
【図５】
2012155822.tif 000007
【図６】
2012155822.tif 000008
【図７】
2012155822.tif 000009
【図８】
2012155822.tif 000010
【図９】
2012155822.tif 000011